(57)【要約】【課題】ウォッシャノズルをエンジンフード下に設けたタイプのウォッシャ装置において、その払拭性能を向上させる。【解決手段】ウォッシャ装置は、ウォッシャノズル５がエンジンフードの後端縁の裏面側に設けられている。ワイパ装置６の休止位置においては洗浄液の噴射の軌跡上にワイパアーム１１が位置するようになるが、ワイパアーム１１に開口部１５，１６を設けたため、洗浄液はその開口部を経由してウィンドガラスに着水できる。【選択図】図３
2008230515.tif 000002
【特許請求の範囲】
【請求項１】
ウィンドガラスに洗浄液を噴射して払拭する車両用ウォッシャ装置において、
エンジンフードの後端縁の裏面側に配置され、圧送された洗浄液を前記ウィンドガラスに向けて噴射するウォッシャノズルと、
前記ウィンドガラスの下方に設けられた回転軸を中心に回転駆動されるワイパアームと、そのワイパアームの先端側に取り付けられて前記ウィンドガラスを払拭するワイパブレードとを含み、前記ワイパアームの休止位置を車両幅方向に長手とするワイパ装置と、
を備え、
前記ワイパアームは、前記休止位置において前記ウォッシャノズルから噴射された洗浄液との干渉を回避する干渉回避部を有することを特徴とする車両用ウォッシャ装置。
【請求項２】
前記干渉回避部は、前記ワイパアームの前記ウォッシャノズルとの対向部を貫通する開口部からなることを特徴とする請求項１に記載の車両用ウォッシャ装置。
【請求項３】
前記ワイパアームの内部に、前記開口部を通過する洗浄液を前記ウィンドガラスの特定の着水領域に向けて案内する案内部が設けられていることを特徴とする請求項２に記載の車両用ウォッシャ装置。
【請求項４】
前記干渉回避部は、前記ワイパアームの前記ウォッシャノズルと対向する方向からみて上側に位置する上壁面を少なくとも部分的に低く構成した低屋根部からなることを特徴とする請求項１に記載の車両用ウォッシャ装置。
【請求項５】
前記ワイパアームの少なくとも前記低屋根部に対応する内部に補強用のリブが設けられたことを特徴とする請求項４に記載の車両用ウォッシャ装置。
【請求項６】
前記低屋根部は、前記ワイパアームの長手方向にそった形状が前記ウォッシャノズルと対向する方向からみて凹状となるように構成されていることを特徴とする請求項４に記載の車両用ウォッシャ装置。
【請求項７】
前記低屋根部の上面に、噴射された洗浄液を前記ウィンドガラスの特定の着水領域に向けて反射させるガイド壁が設けられていることを特徴とする請求項４に記載の車両用ウォッシャ装置。
【発明の詳細な説明】
【技術分野】
【０００１】
本発明は、車両のウィンドガラスに洗浄液を噴射してワイパ装置により払拭する車両用ウォッシャ装置に関する。
【背景技術】
【０００２】
車両のウォッシャ装置は、ウォッシャタンクから圧送された洗浄液をウォッシャノズルによりウィンドガラスに噴射し、ワイパ装置により払拭する。従来、ウォッシャノズルは車両のエンジンフード上に突出するように設けられていたが、近年ではこれをエンジンフードの後部下面に設けたものも提案されている（たとえば特許文献１参照）。このような構成は、車両の見栄えを向上させる等の利点がある。
【特許文献１】特開２０００−３４４０６２号公報（図２等）
【発明の開示】
【発明が解決しようとする課題】
【０００３】
しかしながら、このようにウォッシャノズルの上方がエンジンフードで覆われると、洗浄液の噴射方向は著しく制限される。しかも、ウォッシャノズルの設置位置が相対的に低くなるため、ウォッシャノズルとウィンドガラスとの間にワイパ装置が介在してしまう。特にワイパ装置の休止時にはワイパアームが車両幅方向を長手とするように配置されるため、その状態でウォッシャノズルから洗浄液が噴射されると、その噴射された洗浄液の軌跡上にワイパアームが位置して干渉する。その場合、ウォッシャノズルから噴射された後にウィンドガラス上の払拭領域に達する洗浄液の液量が減少し、その払拭性能が低下するといった問題が生じる。
【０００４】
本発明はこのような問題に鑑みてなされたものであり、その主たる目的は、ウォッシャノズルをエンジンフード下に設けたタイプのウォッシャ装置において、その払拭性能を向上させることにある。
【課題を解決するための手段】
【０００５】
上記課題を解決するために、本発明のある態様の車両用ウォッシャ装置は、ウィンドガラスに洗浄液を噴射して払拭するものである。このウォッシャ装置は、エンジンフードの後端縁の裏面側に配置され、圧送された洗浄液をウィンドガラスに向けて噴射するウォッシャノズルと、ウィンドガラスの下方に設けられた回転軸を中心に回転駆動されるワイパアームと、そのワイパアームの先端側に取り付けられてウィンドガラスを払拭するワイパブレードとを含み、そのワイパアームの休止位置を車両幅方向に長手とするワイパ装置と、を備える。ワイパアームは、休止位置においてウォッシャノズルから噴射された洗浄液との干渉を回避する干渉回避部を有する。
【０００６】
この態様によると、ウォッシャノズルがエンジンフードの後端縁の裏面側に配置されているため、車両の見栄えが良好に保持される。一方、ワイパアームはその休止位置において車両幅方向に長手となってウォッシャノズルに対向するが、その状態でウォッシャノズルから洗浄液が噴射されても、干渉回避部によってその干渉が抑制される。その結果、払拭性能が向上する。
【０００７】
干渉回避部は、ワイパアームのウォッシャノズルとの対向部を貫通する開口部からなるものでもよい。この態様によれば、噴射された洗浄液がワイパアームに当たって跳ね返り、不要な方向に飛散するのを抑制できる。つまり、ワイパアームに向かって噴射された洗浄液の多くを開口部を介してウィンドガラスに着水させることができる。
【０００８】
さらに、このようなワイパアームの内部に、その開口部を通過する洗浄液をウィンドガラスの特定の着水領域に向けて案内する案内部が設けられていてもよい。このような「案内部」は、たとえばワイパアームに設けられたウォッシャノズル側の開口部と、ウィンドガラス側の開口部との位置関係を調整した上で、ワイパアーム内に両開口部を連通させる壁部を設けることで実現できる。ワイパアームに噴射された洗浄液は、その壁部に沿って案内され、両開口部をつなぐ方向に導出される。この態様によれば、洗浄液の飛散方向を制御して特定の着水領域に着水させることができる。
【０００９】
干渉回避部は、ワイパアームのウォッシャノズルと対向する方向からみて上側に位置する上壁面を少なくとも部分的に低く構成した低屋根部からなるものでもよい。この態様によれば、ウォッシャノズルから噴射された洗浄液を、低屋根部の上方を経由してウィンドガラスに着水させることができる。
【００１０】
なお、このような低屋根部を設けることでワイパアームの剛性が低下すると、ワイパアームが払拭動作をする際にウィンドガラスからの反力を受けて振動するいわゆるびびりが発生する可能性がある。そこで、ワイパアームの少なくとも低屋根部に対応する内部に補強用のリブを設けるようにし、ワイパアームの剛性を保持するようにしてもよい。
【００１１】
低屋根部は、具体的には、ワイパアームの長手方向にそった形状が、ウォッシャノズルと対向する方向からみて凹状となるように構成されてもよい。その際、凹状の最も低位置となる部分とウォッシャノズルとの位置関係を調整することにより、洗浄液のより多くをウィンドガラスに着水させるようにするとよい。
【００１２】
また、低屋根部の上面に、噴射された洗浄液をウィンドガラスの特定の着水領域に向けて反射させるガイド壁が設けられていてもよい。この態様によれば、ワイパアームの低屋根部の外形状を利用することで洗浄液の飛散方向を制御することができ、払拭性能をより高めることができる。
【発明の効果】
【００１３】
本発明によれば、ウォッシャノズルをエンジンフード下に設けたタイプのウォッシャ装置において、その払拭性能を向上させることができる。
【発明を実施するための最良の形態】
【００１４】
以下、図面を参照しつつ本発明を実施するための最良の形態について詳細に説明する。
【００１５】
［第１の実施の形態］
図１は、本発明の第１の実施の形態に係るウォッシャ装置を備えた車両を表す概略図である。図２は、ウォッシャ装置の配置構成を表す側断面図である。  
図１に示すように、車両１は、ウィンドガラス２（ウィンドシールド）に洗浄液を噴射してこれを払拭するウォッシャ装置３を備える。ウォッシャ装置３は、ウォッシャタンク４から圧送された洗浄液をウィンドガラス２に向けて噴射するウォッシャノズル５と、洗浄液が付着したウィンドガラス２を払拭するワイパ装置６を含んで構成される。ウォッシャノズル５およびワイパ装置６は、それぞれ運転席側と助手席側に対応して一対ずつ設けられている。
【００１６】
図２にも示すように、ウォッシャノズル５は、エンジンフード７の後端縁の裏面側、つまりエンジンフード７の下方に配置されて外部からは見えなくなっており、その配置構成が車両１の見栄え向上に寄与している。ウォッシャノズル５は、配管８を介してウォッシャタンク４に接続されている。ウォッシャタンク４には、内部に貯留された洗浄液を汲み上げて圧送する図示しないポンプとこれを駆動するモータが組み込まれている。また、本実施の形態のウォッシャノズル５は、いわゆる拡散式のウォッシャノズルとして構成されており、洗浄液が通過する際に水流によってこれを振動させ、洗浄液を扇状に噴出させる。これにより、ワイパ装置６の払拭範囲の広範囲にわたって洗浄液を噴射することができ、その払拭性能を高められるようになっている。なお、ウォッシャノズル５の具体的構造としては、たとえば特開２００５−５９６５１号公報等に示されたような公知のものを採用することができる。ここでは、その詳細な説明を省略する。
【００１７】
ワイパ装置６は、ウィンドガラス２とエンジンフード７との間に設けられており、ワイパアーム１１とその先端側に取り付けられたワイパブレード１２とを含んで構成される。ワイパアーム１１は、ウィンドガラス２の下方に回転軸を有し、図示しない駆動用モータおよびリンク機構を介してその回転軸を中心に回転駆動される。ワイパブレード１２は、図示しないスプリングによってウィンドガラス２に押し付けられており、ワイパアーム１１の回動にともなって所定の接触圧を保持しつつウィンドガラス２を払拭する。ワイパアーム１１およびワイパブレード１２は、その休止位置（自動停止される停止位置）において車両幅方向を長手方向とするように停止される。ウォッシャノズル５がエンジンフード７の裏面側に設けられていることに加え、ウィンドガラス２を支持するカウル９の形状等影響もあり、ウォッシャノズル５からの洗浄液の噴射方向は制限されている。本実施の形態では、ワイパ装置６の休止状態において、ウォッシャノズル５から噴射される洗浄液（図中破線参照）の軌跡上にワイパアーム１１が位置するようになる。その際、噴射された洗浄液がワイパアーム１１にて跳ね返されて不要な方向に飛散するのを防止するため、ワイパアーム１１には洗浄液との干渉を回避する干渉回避部が設けられている。
【００１８】
図３および図４は、ワイパ装置の構成を表す説明図である。図３は、ワイパ装置６の構成を表す斜視図である。図４（ａ）はワイパ装置６の正面図であり、図４（ｂ）はワイパ装置６の主要部の底面図である。なお、上述のようにワイパ装置６は、運転席側と助手席側のそれぞれに設けられているが、ここでは説明の便宜上、その助手席側のワイパ装置６のみ図示している。なお、以下においては説明の便宜上、ワイパアーム１１のウォッシャノズル５との対向面を前面として位置関係を表現することにする。
【００１９】
図３に示すように、ワイパ装置６は、金属材料からなるワイパアーム１１と、その先端側にクリップ部材を介して取り付けられたワイパブレード１２とを含んで構成される。ワイパアーム１１は、その下面が開放された断面コ字状の長尺部材からなり、その基端部にはその回動中心となる回動軸１３が設けられている。ワイパアーム１１の前壁には、ウォッシャノズル５との対向部に４つの開口部１５ａ〜１５ｄ（以下、これらを総称して「開口部１５」と表記する）が形成されている。各開口部１５は、ワイパアーム１１の長手方向に所定の間隔で設けられており、その両端に位置する開口部１５ａおよび１５ｄが、概ねウォッシャノズル５から噴射される洗浄液の噴射範囲内（図中破線参照）に位置するように配置されている。また、図４（ｂ）にも示すように、ワイパアーム１１の後壁において開口部１５ａ〜１５ｄのそれぞれに対向する位置には、開口部１６ａ〜１６ｄがそれぞれ形成されている（以下、これらを総称して「開口部１６」と表記する）。このように、ワイパアーム１１の前壁および後壁にウォッシャノズル５との対向部を貫通する開口部１５，１６を設けたことにより、ワイパアーム１１の休止状態において洗浄液が噴射されても、その洗浄液がその開口部１５，１６を経由してウィンドガラス２へ着水する。つまり、開口部１５，１６によって洗浄液との干渉を回避する干渉回避部が形成されている。
【００２０】
なお、本実施の形態では、助手席側のワイパ装置６について説明をしたが、運転席側のワイパ装置６についても同様の構成を適用できることは言うまでもない。
【００２１】
以上に説明したように、本実施の形態のウォッシャ装置３は、ウォッシャノズル５がエンジンフード７の後端縁の裏面側に設けられている。このため、エンジンフード７上に洗浄液が飛散するのを防止でき、仮にウォッシャノズル５の噴射口に液だれが生じたとしても、外部から視認されることがない。その結果、車両の見栄えが良好に保持される。また、ワイパ装置６の休止位置においては洗浄液の噴射の軌跡上にワイパアーム１１が位置するようになるが、ワイパアーム１１に開口部１５，１６を設けたため、洗浄液はその開口部を経由してウィンドガラス２に着水できる。その結果、洗浄液がワイパアーム１１に跳ね返されて不要な方向に飛散することを抑制でき、ウォッシャ装置３の払拭性能を向上させることができる。
【００２２】
［第２の実施の形態］
次に、本発明の第２の実施の形態について説明する。本実施の形態は、ワイパアームの構造が若干異なる点を除けば第１の実施の形態とほぼ同様である。このため、第１の実施の形態とほぼ同様の構成部分については必要に応じて同一の符号を付す等して適宜その説明を省略する。
【００２３】
図５は、第２の実施の形態に係るワイパ装置の構成を表す説明図である。同図（ａ）はワイパ装置の構成を表す斜視図であり、同図（ｂ）はその主要部の底面図である。  
本実施の形態のワイパ装置２０６は、そのワイパアーム２１１の前壁側の開口部１５ａ〜１５ｄと、これに対向する後壁側の開口部１６ａ〜１６ｄとをそれぞれつなぐガイド部材２１７ａ〜２１７ｄ（以下、これらを総称して「ガイド部材２１７」と表記する）が配設されている。ガイド部材２１７は、下方に開放された断面コ字状の直方体形状をなし、その長手方向の一端側が開口部１５にそって前壁に接合され、他端側が開口部１６に沿って後壁に接合されている。このガイド部材２１７は、洗浄液をウィンドガラス２へ案内する案内部として機能する。
【００２４】
このようなガイド部材２１７を設けたことにより、開口部１５から導入された洗浄液がワイパアーム２１１内で拡散するなど不要な領域に飛散することを防止し、ウィンドガラス２側に効率よく導出することができる。
【００２５】
［第３の実施の形態］
次に、本発明の第３の実施の形態について説明する。本実施の形態は、ワイパアームの構造が若干異なる点を除けば第２の実施の形態とほぼ同様である。このため、第２の実施の形態とほぼ同様の構成部分については必要に応じて同一の符号を付す等して適宜その説明を省略する。
【００２６】
図６は、第３の実施の形態に係るワイパ装置の構成を表す説明図である。同図（ａ）はワイパ装置の構成を表す斜視図であり、同図（ｂ）はその主要部の底面図である。  
本実施の形態のワイパ装置３０６は、そのワイパアーム３１１の前壁側の開口部１５ａ〜１５ｄに対し、後壁側の開口部３１６ａ〜３１６ｄ（以下、これらを総称して「開口部３１６」と表記する）がワイパアーム３１１の長手方向に所定距離ずつずれるように配置されている。そして、これら開口部１５ａ〜１５ｄと開口部３１６ａ〜３１６ｄとをそれぞれつなぐように、ガイド部材３１７ａ〜３１７ｄ（以下、これらを総称して「ガイド部材３１７」と表記する）が配設されている。ガイド部材３１７は、第２の実施の形態のガイド部材２１７と同様に下方に開放された断面コ字状をなすが、そのガイド部材２１７とは異なり、ワイパブレード１２側に所定角度傾いた形状を有する。このようにガイド部材３１７を傾けることにより、洗浄液の噴射方向に指向性をもたせることができる。
【００２７】
図７は、ワイパ装置の使用状態の例を表す説明図である。同図の一点鎖線はワイパブレード１２の払拭領域を表している。  
上述のように、ガイド部材３１７をワイパブレード１２の方向に所定角度傾けて設けたため、ウォッシャノズル５から噴射された洗浄液の飛散方向を制御することができる。すなわち、図中破線にて示されるように、ウォッシャノズル５から拡散噴射されて４つの開口部１５から導入された洗浄液を、ガイド部材３１７に沿って案内し、開口部３１６から払拭領域Ｓ１上の特定の着水領域Ｓ２に着水させることができる。その結果、ワイパブレード１２が洗浄液を払拭する際にこれをウィンドガラス２の全体に効率よく行き渡らせることができ、払拭性能をさらに向上させることができる。
【００２８】
［第４の実施の形態］
次に、本発明の第４の実施の形態について説明する。本実施の形態は、ワイパアームの構造が異なる点を除けば第１の実施の形態とほぼ同様である。このため、第１の実施の形態とほぼ同様の構成部分については必要に応じて同一の符号を付す等して適宜その説明を省略する。
【００２９】
図８および図９は、第４の実施の形態に係るワイパ装置の構成を表す説明図である。図８は、ワイパ装置の構成を表す斜視図である。図９（ａ）はワイパ装置の構成を表す正面図であり、同図（ｂ）はその主要部の底面図である。  
図８に示すように、本実施の形態のワイパ装置４０６は、ワイパアーム４１１の上壁面を低く構成した低屋根部４１２を有する。すなわち、この低屋根部４１２は、図３等に示した第１の実施の形態のワイパアーム４１１の高さよりも低く構成され、その低くなった分の領域を洗浄液が通過できるようになっている。
【００３０】
さらに、図９に示すように、ワイパアーム４１１の内部において低屋根部４１２に対応する位置には複数の補強用のリブ４１３が設けられ、ワイパアーム４１１に必要な剛性が確保されている。なお、本実施の形態のリブ４１３はビード状またはＸ字状に構成されているが、その他の形状であってもよい。
【００３１】
以上のように、ワイパアーム４１１に低屋根部４１２を設けたことにより、ウォッシャノズル５から噴射された洗浄液を、低屋根部４１２の上方を経由してウィンドガラス２に着水させることができ、ワイパ装置４０６による払拭性能を高く保持することができる。さらに、低屋根部４１２に対応する位置にリブ４１３を設けてワイパアーム４１１の剛性を確保したことにより、ワイパ装置４０６の動作時にいわゆるびびりが発生することを防止できる。
【００３２】
なお、本実施の形態では、リブ４１３を低屋根部４１２に対応する部分にのみ設けた構成を示したが、ワイパアーム４１１のほぼ全体にわたって設けるようにしてもよい。
【００３３】
［第５の実施の形態］
次に、本発明の第５の実施の形態について説明する。本実施の形態は、ワイパアームの構造が異なる点を除けば第１の実施の形態とほぼ同様である。このため、第１の実施の形態とほぼ同様の構成部分については必要に応じて同一の符号を付す等して適宜その説明を省略する。
【００３４】
図１０は、第５の実施の形態に係るワイパ装置の構成を表す説明図である。同図（ａ）はワイパ装置の構成を表す斜視図であり、同図（ｂ）はワイパ装置の構成を表す正面図である。  
本実施の形態のワイパ装置５０６は、ワイパアーム５１１の上壁面を部分的に低く構成した低屋根部５１２を有する。すなわち、この低屋根部５１２は、ワイパアーム５１１のウォッシャノズル５との対向部において、そのウォッシャノズル５から噴射された洗浄液がワイパアーム５１１の位置で広がる幅とほぼ同等の領域に形成されている。ワイパアーム５１１の長手方向にそった形状は、ウォッシャノズル５と対向する方向からみてＶ字状に形成されている。なお、本実施の形態では、低屋根部５１２の形状をＶ字状にしたが、Ｕ字状やコ字状などその他の凹状に形成してもよい。
【００３５】
以上のように、本実施の形態においては、ワイパアーム５１１において洗浄液の噴射領域に対応した部分のみを低屋根部５１２とした。このような構成においても第４の実施の形態と同様に、ウォッシャノズル５から噴射された洗浄液を、低屋根部５１２の上方を経由してウィンドガラス２に着水させることができ、ワイパ装置５０６による払拭性能を高く保持することができる。さらに、ワイパアーム５１１の高さを部分的に低くしたことにより、その剛性の低下を抑制することができる。なお、本実施の形態においても、低屋根部５１２に対応する位置にリブを設けてワイパアーム５１１の剛性を確保するようにしてもよい。
【００３６】
［第６の実施の形態］
次に、本発明の第６の実施の形態について説明する。本実施の形態は、ワイパアームの構造が若干異なる点を除けば第５の実施の形態とほぼ同様である。このため、第５の実施の形態とほぼ同様の構成部分については必要に応じて同一の符号を付す等して適宜その説明を省略する。
【００３７】
図１１は、第６の実施の形態に係るワイパ装置の構成を表す説明図である。同図（ａ）はワイパ装置の構成を表す斜視図であり、同図（ｂ）はワイパ装置の構成を表す正面図である。  
本実施の形態のワイパ装置６０６は、第５の実施の形態と同様に、ワイパアーム６１１の上壁面をＶ字状にして部分的に低く構成した低屋根部６１２を有する。そしてさらに、その低屋根部６１２の両端に段差を設け、この段差により洗浄液を特定の方向に反射させるガイド壁６１４が構成されている。
【００３８】
図１２は、ワイパ装置の使用状態の例を表す説明図であり、図７に対応する。
【００３９】
上述のように、低屋根部６１２にガイド壁６１４を設けたため、ウォッシャノズル５から噴射された洗浄液の飛散方向を制御することができる。すなわち、図中破線にて示されるように、ウォッシャノズル５から拡散噴射された洗浄液をガイド壁６１４で反射させ、払拭領域Ｓ１上の特定の着水領域Ｓ３に着水させることができる。
【００４０】
本発明は上述の各実施の形態に限定されるものではなく、当業者の知識に基づいて各種の設計変更等の変形を各実施の形態に対して加えることも可能であり、そのような変形が加えられた実施の形態も本発明の範囲に含まれうる。
【００４１】
たとえば、上記各実施の形態においては、ウォッシャノズル５として拡散式のものを例に挙げたが、たとえば２方向噴射式など、特定の方向に噴射する指向性のあるウォッシャノズルを採用することもできる。その場合には、洗浄液の噴射方向に合わせて低屋根部や開口部等の干渉回避部の位置、ガイド部材の位置や形状等を適切に設定することになる。
【００４２】
また、上記各実施の形態では、ワイパアームを金属材料にて構成したが、樹脂材料から構成してもよい。
【図面の簡単な説明】
【００４３】
【図１】第１の実施の形態に係るウォッシャ装置を備えた車両を表す概略図である。
【図２】ウォッシャ装置の配置構成を表す側断面図である。
【図３】ワイパ装置の構成を表す斜視図である。
【図４】ワイパ装置の構成を表す説明図である。
【図５】第２の実施の形態に係るワイパ装置の構成を表す説明図である。
【図６】第３の実施の形態に係るワイパ装置の構成を表す説明図である。
【図７】ワイパ装置の使用状態の例を表す説明図である。
【図８】ワイパ装置の構成を表す斜視図である。
【図９】第４の実施の形態に係るワイパ装置の構成を表す説明図である。
【図１０】第５の実施の形態に係るワイパ装置の構成を表す説明図である。
【図１１】第６の実施の形態に係るワイパ装置の構成を表す説明図である。
【図１２】ワイパ装置の使用状態の例を表す説明図である。
【符号の説明】
【００４４】
１  車両、  ２  ウィンドガラス、  ３  ウォッシャ装置、  ５  ウォッシャノズル、  ６  ワイパ装置、  ７  エンジンフード、  １１  ワイパアーム、  １２  ワイパブレード、  １５  開口部、  １６  開口部、  ２０６  ワイパ装置、  ２１１  ワイパアーム、  ３０６  ワイパ装置、  ３１１  ワイパアーム、  ３１７  ガイド部材、  ４０６  ワイパ装置、  ４１１  ワイパアーム、  ４１２  低屋根部、  ４１３  リブ、  ５０６  ワイパ装置、  ５１１  ワイパアーム、  ５１２  低屋根部、  ６０６  ワイパ装置、  ６１１  ワイパアーム、  ６１２  低屋根部、  ６１４  ガイド壁、  Ｓ１  払拭領域、  Ｓ２  着水領域、  Ｓ３  着水領域。
【図１】
2008230515.tif 000003
【図２】
2008230515.tif 000004
【図３】
2008230515.tif 000005
【図４】
2008230515.tif 000006
【図５】
2008230515.tif 000007
【図６】
2008230515.tif 000008
【図７】
2008230515.tif 000009
【図８】
2008230515.tif 000010
【図９】
2008230515.tif 000011
【図１０】
2008230515.tif 000012
【図１１】
2008230515.tif 000013
【図１２】
2008230515.tif 000014